(57)【要約】【課題】  外壁に作用する荷重によって胴縁に対する外壁に位置ずれが発生した場合に複数の外壁間の目地から雨水等の侵入を防止するためのコーキング材、外壁の割れを防止することができる胴縁を提供する。【解決手段】  建物における柱12と外壁16との間に空間を設けて建物における壁体20の通気を確保するために設けられている胴縁22において、胴縁22は、外壁16が固定されていると共に外壁16に対して平行である水平方向にスライド可能に柱12に固定されてなる。【選択図】図２
2005320681.tif 000002
【特許請求の範囲】
【請求項１】
建物における柱と外壁との間に空間を設けて建物における壁体の通気を確保するために設けられている胴縁において、
前記胴縁は、前記外壁が固定されていると共に前記外壁に対して平行である水平方向にスライド可能に前記柱に固定されていることを特徴とする胴縁。
【請求項２】
前記胴縁には、前記胴縁が長尺状に形成され長尺方向の距離に対して短尺方向の距離が長くなるように前記柱に取り付けるための取付孔が形成されていることを特徴とする請求項１記載の胴縁。
【請求項３】
前記胴縁には、前記柱との取付部に弾性部材が設けられていることを特徴とする請求項１記載の胴縁。
【発明の詳細な説明】
【技術分野】
【０００１】
本発明は、建物における柱と外壁との間に空間を設けて建物における壁体の通気を確保するために設けられている胴縁に関する。
【背景技術】
【０００２】
従来、建物における柱と外壁との間に空間を設けて建物における壁体の通気を確保するために設けられている胴縁としては、家屋などの外壁形成用の外装材を、釘打ちやビス止めなどにより柱などに固定可能とした縦胴縁であって、合成樹脂により長尺矩形形状の板体に形成し、同板体の一側面略中央に、長手方向と平行な凸条を形成するとともに、同凸条を挟むように左右溝部を形成したことを特徴とする縦胴縁が知られている（特許文献１参照）。当該胴縁によれば、家屋などの外壁形成用の外装材を、釘打ちやビス止めなどにより柱などに固定可能とした縦胴縁であって、合成樹脂により長尺矩形形状の板体に形成し、同板体の一側面略中央に、長手方向と平行な凸条を形成するとともに、同凸条を挟むように左右溝部を形成したので、柱などに釘やビスで固定することができ、かつ高価な連結具を別途使用することなく水きり機能を発揮でき、通気構法を採用した家屋を低コストで構築することができる。
【特許文献１】特開２００２−６１３０７号公報
【発明の開示】
【発明が解決しようとする課題】
【０００３】
上述の従来技術では、家屋などの外壁形成用の外装材を、釘打ちやビス止めなどにより柱などに固定可能とした縦胴縁であって、合成樹脂により長尺矩形形状の板体に形成し、同板体の一側面略中央に、長手方向と平行な凸条を形成するとともに、同凸条を挟むように左右溝部を形成したものである。従って、胴縁が木材で形成されている場合の経年使用による胴縁の腐食、変形等による胴縁と外壁とを固定している釘等の固定部材の脱落等による外壁間の目地から雨水等の侵入を防止するためのコーキング材、外壁の割れを防止することができるが、外壁に作用する荷重によって胴縁に対する外壁に位置ずれが発生した場合に複数の外壁間の目地から雨水等の侵入を防止するためのコーキング材、外壁の割れを防止することができないという問題点がある。
【０００４】
本発明は、上記した問題点を鑑みてなされたもので、外壁に作用する荷重によって胴縁に対する外壁に位置ずれが発生した場合に複数の外壁間の目地から雨水等の侵入を防止するためのコーキング材、外壁の割れを防止することができる胴縁を提供することを目的とする。
【課題を解決するための手段】
【０００５】
前述の課題を解決するため、本発明に係る胴縁は、次のような手段から構成される。
【０００６】
請求項１記載の発明の胴縁は、建物における柱と外壁との間に空間を設けて建物における壁体の通気を確保するために設けられている胴縁において、前記胴縁は、前記外壁が固定されていると共に前記外壁に対して平行である水平方向にスライド可能に前記柱に固定されている。
【０００７】
また、請求項２記載の発明の胴縁は、請求項１記載の発明において、前記胴縁には、前記胴縁が長尺状に形成され長尺方向の距離に対して短尺方向の距離が長くなるように前記柱に取り付けるための取付孔が形成されている。
【０００８】
また、請求項３記載の発明の胴縁は、請求項１記載の発明において、前記胴縁には、前記柱との取付部に弾性部材が設けられている。
【発明の効果】
【０００９】
本発明の請求項１記載の胴縁によれば、胴縁は、外壁が固定されていると共に外壁に対して平行である水平方向にスライド可能に柱に固定されているため、外壁に作用する荷重によって胴縁に対する外壁に位置ずれが発生した場合に複数の外壁間の目地から雨水等の侵入を防止するためのコーキング材、外壁の割れを防止することができる。
【００１０】
また、請求項２記載の胴縁によれば、胴縁には、胴縁が長尺状に形成され長尺方向の距離に対して短尺方向の距離が長くなるように柱に取り付けるための取付孔が形成されているため、胴縁を釘等の固定部材で取付孔から柱に取り付ける際に、胴縁は固定部材に対して短尺方向にスライド可能である。従って、外壁に作用する荷重によって胴縁に対する外壁に位置ずれが発生した場合に複数の外壁間の目地から雨水等の侵入を防止するためのコーキング材、外壁の割れを防止することができる。
【００１１】
また、請求項３記載の胴縁によれば、胴縁には、柱との取付部に弾性部材が設けられているため、胴縁を釘等の固定部材で取付孔から柱に取り付ける際に、胴縁は固定部材に対して弾性部材が変形することによってスライド可能であるため、外壁に作用する荷重によって胴縁に対する外壁に位置ずれが発生した場合に複数の外壁間の目地から雨水等の侵入を防止するためのコーキング材、外壁の割れを防止することができる。
【発明を実施するための最良の形態】
【００１２】
以下、本発明に係る胴縁の実施形態を図面に基づいて説明する。図１は、本発明に係る胴縁が適用される建物における一般の壁体を示す斜視図である。図２及び図３は、本発明に係る胴縁の第１の実施形態を説明する図である。
【００１３】
図１に示す建物における一般の壁体10は、柱12、胴縁14及び外壁16から概略構成されている。柱12は、建物に作用する荷重から建物を保護するためのものである。尚、複数の柱12間には、柱12の外側面に木材の薄板であるベニヤ13等が設けられている。胴縁14は、柱12と外壁16との間に設けられ柱12と外壁16との間に空間を形成して壁体10の通気を確保するためのものである。外壁16は、建物の外側を構成する外装となる外装材である。
【００１４】
図２は、本実施形態の胴縁が適用される壁体20の横断面図である。壁体20は、柱12、胴縁22及び外壁16から構成されている。柱12は、長尺状に形成されている。柱12は、例えば、長尺角柱状に形成される。柱12の材料としては、例えば、木材等が挙げられる。
【００１５】
図３は、本実施形態の胴縁22を示す斜視図である。胴縁22は、長尺状に形成されている。胴縁22は、例えば、長尺角柱状に形成される。
【００１６】
胴縁22の材料としては、例えば、合成樹脂等が挙げられる。胴縁22の材料として合成樹脂を用いる場合には、合成ゴムを含有したポリスチレン樹脂の発泡体を押し出し成形等で形成されるものが好適である。また、胴縁22の材料として合成樹脂を用いる場合には、ポリスチレン樹脂の発泡体の他に、例えば、ポリエチレン又はポリプロピレン等の熱可塑性樹脂を用いることができる。また、ポリスチレン、ポリエチレン又はポリプロピレン系の再生プラスチックを原料として用いることができる。更に、ガラス繊維入りポリウレタンを用いることができる。本実施形態で以上のプラスチック材料を使用する場合には、上記プラスチック材料はリサイクルすることが可能であるため、省資源化に寄与することができる。
【００１７】
胴縁22には、長尺方向の距離に対して短尺方向の距離が長くなるように柱に取り付けるための取付孔24が形成されている。取付孔24は、例えば、長円状に形成される。
【００１８】
胴縁22は、釘等の第１の固定部材24で取付孔24から柱12に対してスライド可能に固定されている。第１の固定部材26は、頭部26aと脚部26bとを有している。脚部26bは、柱12に固定されている。頭部26aは、水平方向の外周径が胴縁22の取付孔24の短尺方向の距離に対して大きくなるように形成されている。
【００１９】
外壁16は、釘等の第２の固定部材28で胴縁22に固定されている。尚、複数の外壁16間は、雨水等が侵入しないようにコーキング材29が充填されている。外壁16の材料としては、例えば、木材等が挙げられる。
【００２０】
次に、以上のように構成されている壁体20の作用について説明する。壁体20の外壁16に水平方向に荷重が作用した場合に、外壁16及び胴縁22が第２の固定部材28で固定されているため外壁16の水平方向に作用した荷重は胴縁22に作用する。胴縁22に水平方向の荷重が作用すると胴縁22は柱12に対して取付孔24内を第１の固定部材が相対的に移動するようにスライド可能に固定されているため、胴縁22が柱12に対してスライドすることによって、外壁16に作用した水平方向の荷重が吸収される。
【００２１】
以上、本実施形態によれば、胴縁22は、外壁16が固定されていると共に外壁16に対して平行である水平方向にスライド可能に柱12に固定されているため、外壁16に作用する荷重によって胴縁22に対する外壁16に位置ずれが発生した場合に複数の外壁16間の目地から雨水等の侵入を防止するためのコーキング材29、外壁16の割れを防止することができる。
【００２２】
また、胴縁22には、胴縁22は長尺状に形成され長尺方向の距離に対して短尺方向の距離が長くなるように柱12に取り付けるための取付孔24が形成されているため、胴縁22を釘等の第１の固定部材26で取付孔24から柱12に取り付ける際に、胴縁22は第１の固定部材26に対して短尺方向にスライド可能である。従って、外壁12に作用する荷重によって胴縁22に対する外壁16に位置ずれが発生した場合に複数の外壁16間の目地から雨水等の侵入を防止するためのコーキング材29、外壁16の割れを防止することができる。
【００２３】
次に、本発明に係る胴縁の第２の実施形態について説明する。図４及び図５は、本発明に係る胴縁の第２の実施形態を説明する図である。尚、本実施形態において、第１の実施形態に示す構成と同一の構成については、同一符号を付すことでその説明を省略する。
【００２４】
図４は、本実施形態の胴縁が適用される壁体30の横断面図である。壁体30は、柱12、胴縁32及び外壁16から概略構成されている。本実施形態の壁体30は、第１の実施形態において胴縁22を胴縁32としたものである。
【００２５】
胴縁32は、硬質部材と弾性部材34である軟質部材を短尺方向に積層したものである。弾性部材34の材料としては、ゴム部材が挙げられる。胴縁32は、弾性部材34の短尺方向の略中間部で柱12に第１の固定部材26で固定されている。
【００２６】
次に、以上のように構成されている胴縁32の作用について説明する。壁体30の外壁16に水平方向に荷重が作用した場合に、外壁16及び胴縁32が第２の固定部材28で固定されているため外壁16の水平方向に作用した荷重は胴縁32に作用する。胴縁32に水平方向の荷重が作用すると胴縁32は柱12に対して弾性部材34を第１の固定部材26が圧縮することでスライド可能に固定されているため、胴縁22が柱12に対してスライドすることによって、外壁16に作用した水平方向の荷重が吸収される。
【００２７】
以上、本実施形態によれば、胴縁32には、柱12との取付部に弾性部材34が設けられているため、胴縁32を釘等の第１の固定部材26で柱12に取り付ける際に、胴縁32は第１の固定部材26に対して弾性部材34が変形することによってスライド可能であるため、外壁16に作用する荷重によって胴縁32に対する外壁16に位置ずれが発生した場合に複数の外壁16間の目地から雨水等の侵入を防止するためのコーキング材29、外壁16の割れを防止することができる。
【００２８】
本発明は、上記実施形態に限定されるものではなく、本発明の要旨の範囲内で種々の変形実施が可能である。
【図面の簡単な説明】
【００２９】
【図１】本発明に係る胴縁が適用される建物における一般の壁体を示す斜視図である。
【図２】本発明に係る胴縁の第１の実施形態が適用される壁体の横断面図である。
【図３】本発明に係る胴縁の第１の実施形態の胴縁を示す斜視図である。
【図４】本発明に係る胴縁の第２の実施形態が適用される壁体の横断面図である。
【図５】本発明に係る胴縁の第２の実施形態の胴縁を示す斜視図である。
【符号の説明】
【００３０】
10，20，30  壁体
12  柱
14，22，32  胴縁
16  外壁
24  取付孔
34  弾性部材
【図１】
2005320681.tif 000003
【図２】
2005320681.tif 000004
【図３】
2005320681.tif 000005
【図４】
2005320681.tif 000006
【図５】
2005320681.tif 000007